(57)【要約】【課題】本考案の猫用ジャングルジムは、多層が設置され、猫が好きに動き、好きな高さに登る習性を満たし、猫が遊ぶのに良いテラスを提供し、同時に猫に遊び、休憩及び保温の多機能を提供する。【解決手段】多機能の猫用ジャングルジムは、三層構造であり、下層及び第二層が何れも休憩室であり、上層が休憩台とし、両休憩室と休憩台が複数の立柱により接続し且つ底板上に浮いた状態に立設し、下層の休憩室と地面との間及び両休憩室の間に更に登り板が接続され、前記休憩室内に外界の制御端末と通信できる無線カメラが装備され、休憩室内の猫の活動状況情報を撮影して制御端末に送信し、前記立柱に音楽発生器が装備され、前記複数の立柱のうちの一つの下端に圧力センサーが装備される。【選択図】図１
0003203858.tif 000002
【実用新案登録請求の範囲】
【請求項１】
三層構造を有する多機能の猫用ジャングルジムであって、
下層及び第二層が何れも休憩室であり、上層が休憩台であり、両休憩室と休憩台が複数の立柱により接続し且つ底板上に浮いた状態で立設し、下層の休憩室と地面との間及び両休憩室の間に更に登り板が接続され、
前記休憩室内に外界の制御端末と通信できる無線カメラが装備され、休憩室内の猫の活動状況情報を撮影して制御端末に送信し、前記立柱に音楽発生器が装備され、前記複数の立柱のうちの一方の下端に圧力センサーが装備されている、
ことを特徴とする多機能の猫用ジャングルジム。
【請求項２】
前記休憩室及び休憩台の床、立柱並びに登り板の上面の全てには、綿及びフランネルが被覆されていることを特徴とする請求項１に記載の多機能の猫用ジャングルジム。
【請求項３】
前記休憩室及び休憩台の床には、それぞれ加熱機構が設置され、前記加熱機構には温度制御スイッチが接続されていることを特徴とする請求項２に記載の多機能の猫用ジャングルジム。
【請求項４】
前記加熱機構が発熱糸であり、前記発熱糸が休憩室及び休憩台の床の前記綿で被覆されていることを特徴とする請求項３に記載の多機能の猫用ジャングルジム。
【請求項５】
前記休憩台の下部にゴム紐により戯れさせる物が接続され、前記戯れさせる物が下層休憩室の上方に位置することを特徴とする請求項１に記載の多機能の猫用ジャングルジム。
【考案の詳細な説明】
【技術分野】
【０００１】
本考案はペット用品に属し、特に多機能の猫用ジャングルジムに関する。
【背景技術】
【０００２】
社会の発展及び生活水準の向上により、ペットも人々の生活中の一部になっている。然し、都市の家庭生活の空間が絶えず圧縮され、ペットの活動空間もますます小さくなる結果を招く。ペットの天性は好きに動くことで、特に猫についてはこれが言える。
【０００３】
猫は夜行性の動物であり、運動量が相対的に少なく、特に飼養されるペットの猫は、運動量がより少ない。家のペットの飼養猫をより健康で、活発にさせるために、猫用ジャングルジムがこのことにより作成され、猫が心ゆくまで遊ぶことが可能な空間を創造する。現在の猫用ジャングルジムは一般的に多層構造に架設される。しかし、機能が比較的単一で、ただ休憩のために、よじ登られるだけで、面白みが欠乏し、猫の嫌気を引き起こしやすい。
【考案の概要】
【考案が解決しようとする課題】
【０００４】
本考案の目的は、前記問題に対して、面白みの性質が高く、且つ撮影及び発声機能を備える多機能の猫用ジャングルジムを提供することにある。
【課題を解決するための手段】
【０００５】
本考案の目的はこのようなことを実現する。
【０００６】
多機能の猫用ジャングルジムは、前記猫用ジャングルジムが三層構造であり、下層及び第二層が何れも休憩室であり、上層が休憩台であり、両休憩室と休憩台が複数の立柱により接続し且つ底板上に浮いた状態で立設し、下層の休憩室と地面との間及び両休憩室の間に更に登り板が接続されており、
前記休憩室内に外界の制御端末と通信できる無線カメラが装備され、休憩室内の猫の活動状況情報を撮影して制御端末に送信し、前記立柱に音楽発生器が装備され、前記複数の立柱のうちの一方の下端に圧力センサーが装備されていることを特徴とする。
【０００７】
その中で、前記休憩室及び休憩台の床、立柱並びに登り板の上面の全てには、綿及びフランネルが被覆されている。
【０００８】
その中で、前記休憩室及び休憩台の床には、それぞれ加熱機構が設置される。
【０００９】
その中で、前記加熱機構が発熱糸であり、前記発熱糸が休憩室及び休憩台の床の綿で被覆される。
【００１０】
その中で、前記休憩台の下部にゴム紐により戯れさせる物が接続され、前記戯れさせる物が下層休憩室の上方に位置する。
【考案の効果】
【００１１】
本考案の有益な効果は、本猫用ジャングルジムは、多層が設置され、猫が好きに動き、好きな高さに登る習性を満たし、猫が遊ぶのに良いテラスを提供し、同時に猫に遊び、休憩及び保温の多機能を提供する。
【図面の簡単な説明】
【００１２】
【図１】本考案の概略図である。
【図２】休憩室及び休憩台の床の断面概略図である。
【考案を実施するための形態】
【００１３】
以下、具体的な実施例及び図面を参照して、本考案について詳細に説明する。
【００１４】
図１の示すように、多機能の猫用ジャングルジムは、三層構造であり、下層及び第二層が何れも休憩室１であり、上層が休憩台２であり、両休憩室１と休憩台２が複数の立柱３により接続し且つ底板４上に浮いた状態で立設し、下層の休憩室１と地面との間及び両休憩室１の間には、更にそれぞれ登り板５が接続されている。
【００１５】
休憩室１内に外界の制御端末と通信できる無線カメラ６が装備され、休憩室１内の猫の活動状況情報を撮影して制御端末に送信する。その中で、制御端末は通常、スマートフォン又はタブレットコンピュータであり、所有者は、スマートフォン又はタブレットコンピュータによりリアルタイムに休憩室１内の猫の状況を調べることができる。立柱３内には音楽発生器７が装備され、複数の立柱３のうちの一つの立柱３の下端に圧力センサー８が装備されている。猫が猫用ジャングルジムに登って圧力センサー８が力を受けた後、音楽発生器７はすぐに音楽を発生させることができ、そのことにより猫用ジャングルジムに対する猫の引付力を増強させる。
【００１６】
休憩室１、休憩台２、立柱３及び登り板５上には、すべて綿及びフランネルが被覆され、猫用ジャングルジムをより快適にし、猫の住み家の機能を実現する。更に休憩室１及び休憩台２の床にそれぞれ加熱機構が設置され、寒い冬には猫のために温暖を向上させ、より一層猫用ジャングルジムの快適度を向上させる。加熱機構は具体的に発熱糸ｄであり、発熱糸ｄが休憩室１及び休憩台２の床の綿ｂ内に包まれている。図２の示すように、下層ａは休憩室１及び休憩台２の床であり、中間は綿ｂであり、上層はフランネルｃであり、発熱糸ｄは綿ｂに内在し包まれる。該構造により猫の感電を防止でき、猫用ジャングルジムをさらに安全にする。加熱機構の熱による猫の火傷を防止するために、該加熱機構は温度制御スイッチと接続されることによって、安全性を高めている。
【００１７】
猫用ジャングルジムの面白みを増強させるため、休憩台２の下部にゴム紐により戯れさせる物９が接続され、戯れさせる物９が下層の休憩室１の上方に位置する。
【符号の説明】
【００１８】
１  休憩室
２  休憩台
３  立柱
４  底板
５  登り板
６  無線カメラ
７  音楽発生器
８  圧力センサー
９  戯れさせる物
ａ  下層
ｂ  綿
ｃ  フランネル
ｄ  発熱糸
【図１】
0003203858.tif 000003
【図２】
0003203858.tif 000004